(57)【要約】【課題】            スプリングシートを取り付ける際、誤挿入を防ぐようにしたシリンダ装置を提供すること。【解決手段】        スプリングシート固定部２１を有する外筒７と、このスプリングシート固定部２１と係合する係合部２５を有するスプリングシート２８とを有するシリンダ装置において、前記スプリングシート固定部２１が、少なくとも１つの径方向外側に突出する位置決め凸部２０を有し、前記係合部２５が、前記位置決め凸部２０の周方向両側の面に係合して前記スプリングシート２８の周方向両側への移動を規制する少なくとも１つの位置決め凹部２４を有し、位置決め凸部２０及び位置決め凹部２４が、スプリングシート２８と外筒７とが１つの周方向位置のみにおいて嵌合するように、スプリングシート固定部２１と係合部２５とにそれぞれ設けた。【選択図】          図１
2007154977.tif 000002
【特許請求の範囲】
【請求項１】
伸縮自在に延出するロッドを有する外筒と、
前記外筒の外周部に設けられたスプリングシート固定部と、
該スプリングシート固定部と係合する係合部を有するスプリングシートと、からなるシリンダ装置において、
前記スプリングシート固定部が、少なくとも１つの径方向外側に突出する位置決め凸部を有し、
前記係合部が、前記位置決め凸部の周方向両側の面に係合して前記スプリングシートの周方向両側への移動を規制する位置決め凹部を有し、
前記位置決め凸部及び前記位置決め凹部が、前記スプリングシートと前記外筒とが１つの周方向位置のみにおいて嵌合するように、前記スプリングシート固定部と前記係合部とにそれぞれ設けられたことを特徴とするシリンダ装置。
【請求項２】
伸縮自在に延出するロッドを有する外筒と、
前記外筒の外周部に設けられたスプリングシート固定部と、
該スプリングシート固定部と係合する係合部を有するスプリングシートと、からなるシリンダ装置において、
前記スプリングシート固定部が、少なくとも１つの径方向外側に突出する位置決め凸部を有し、
前記係合部が、前記位置決め凸部の周方向両側の面に係合して前記スプリングシートの周方向両側への移動を規制する位置決め凹部を有し、
前記位置決め凸部が、前記位置決め凸部の位置における前記スプリングシート固定部の径方向断面の外周部が１回回転対称性を持つように、前記スプリングシート固定部に設けられたことを特徴とするシリンダ装置。
【請求項３】
請求項１または２に記載のシリンダ装置であって、
前記スプリングシート固定部が、前記外筒より径方向外側に突出して前記スプリングシートと軸方向に当接する少なくとも１つの固定用凸部を有することを特徴とするシリンダ装置。
【請求項４】
請求項３に記載のシリンダ装置であって、
前記スプリングシートが前記外筒を挿入することよって前記外筒に係合するように形成され、
挿入時に前記位置決め凸部と前記係合部との周方向位置が異なる場合に、前記位置決め凸部が前記固定用凸部より先に前記スプリングシートのいずれかの箇所に当接するように前記位置決め凸部を設けたことを特徴とするシリンダ装置。
【請求項５】
請求項３に記載のシリンダ装置であって、
前記係合部が、前記固定用凸部に係合する少なくとも１つの固定用凹部を有し、
該固定用凹部に内接する円の直径を前記固定用凸部に外接する円の直径よりも小さく形成し、前記外筒を前記スプリングシートに挿入したときに前記固定用凸部が前記固定用凹部に圧入固定されることを特徴とするシリンダ装置。
【請求項６】
請求項１から５のいずれかに記載のシリンダ装置であって、
前記位置決め凸部の挿入方向先端部の幅が該位置決め凸部の最大幅より小さいことを特徴とするシリンダ装置。
【発明の詳細な説明】
【技術分野】
【０００１】
本発明は、自動車などの車両に装着されるショックアブソーバなどのシリンダ装置に関し、特に、スプリングシートが係合されたシリンダ装置に関する。
【背景技術】
【０００２】
シリンダ装置、例えば自動車のサスペンション装置に装着されるショックアブソーバには、サスペンションスプリングを受けるためのスプリングシートが固定（ないしは係合）されたものがある。いわゆるツインチューブ式ショックアブソーバの場合、スプリングシートはアウタシェル（外筒）に固定（ないし係合）される。従来、この種のショックアブソーバでは、スプリングシートは溶接によって固定されていたが、溶接によって生じる溶接カスの混入及び熱によるアウタシェルの変形などの問題があった。
【０００３】
これらの問題を解決するため、いくつかの提案がなされている。スプリングシートに開口部を形成し、アウタシェルの外周部に凸部を形成し、これらの回転、係合によってスプリングシートを固定する構造（特許文献１）及びアウタシェルにおけるピストンの非摺動領域に、周方向に沿って凸部を形成し、そこにスプリングシートを圧入して固定する構造（特許文献２）などである。
【０００４】
しかしながら、上記の構造では、スプリングシートをアウタシェルに係合・圧入する際、目視などの方法によってアウタシェルに対するスプリングシートの周方向の位置決めを行うため、手間がかかるとともに誤った方向に挿入してしまう恐れがあった。特に、輸送効率を上げるためにショックアブソーバ本体とスプリングシートを別々に搬送する場合、スプリングシートの固定（ないし係合）に不慣れな作業者（例えば納品先の作業者）がスプリングシートの固定を行うことがあり、スプリングシートが誤った方向に挿入される恐れがあった。
【０００５】
【特許文献１】特開平7-280018
【特許文献２】特開2005-291302
【発明の開示】
【発明が解決しようとする課題】
【０００６】
本発明は、このような問題にかんがみてなされたものであり、スプリングシートを取り付ける際、誤挿入を防ぐようにしたシリンダ装置を提供することを目的とする。
【課題を解決するための手段】
【０００７】
請求項１に記載の発明は、伸縮自在に延出するロッドを有する外筒と、前記外筒の外周部に設けられたスプリングシート固定部と、該スプリングシート固定部と係合する係合部を有するスプリングシートと、からなるシリンダ装置において、前記スプリングシート固定部が、少なくとも１つの径方向外側に突出する位置決め凸部を有し、前記係合部が、前記位置決め凸部の周方向両側の面に係合して前記スプリングシートの周方向両側への移動を規制する少なくとも１つの位置決め凹部を有し、前記位置決め凸部及び前記位置決め凹部が、前記スプリングシートと前記外筒とが１つの周方向位置のみにおいて嵌合するように、前記スプリングシート固定部と前記係合部とにそれぞれ設けられたことを特徴とするシリンダ装置である。
【０００８】
請求項２に記載の発明は、伸縮自在に延出するロッドを有する外筒と、前記外筒の外周部に設けられたスプリングシート固定部と、該スプリングシート固定部と係合する係合部を有するスプリングシートと、からなるシリンダ装置において、前記スプリングシート固定部が、少なくとも１つの径方向外側に突出する位置決め凸部を有し、前記係合部が、前記位置決め凸部の周方向両側の面に係合して前記スプリングシートの周方向両側への移動を規制する位置決め凹部を有し、前記位置決め凸部が、前記位置決め凸部の位置における前記スプリングシート固定部の径方向断面の外周部が１回回転対称性を持つように、前記スプリングシート固定部に設けられたことを特徴とするシリンダ装置である。
【０００９】
請求項３に記載の発明は、請求項１または２に記載のシリンダ装置であって、前記スプリングシート固定部が、前記外筒より径方向外側に突出して前記スプリングシートと軸方向に当接する少なくとも１つの固定用凸部を有することを特徴とするシリンダ装置である。
【００１０】
請求項４に記載の発明は、請求項３に記載のシリンダ装置であって、前記スプリングシートが前記外筒を挿入することよって前記外筒に係合するように形成され、挿入時に前記位置決め凸部と前記係合部との周方向位置が異なる場合に、前記位置決め凸部が前記固定用凸部より先に前記スプリングシートのいずれかの箇所に当接するように前記位置決め凸部を設けたことを特徴とするシリンダ装置である。
【００１１】
請求項５に記載の発明は、請求項３に記載のシリンダ装置であって、前記係合部が、前記固定用凸部に係合する少なくとも１つの固定用凹部を有し、該固定用凹部に内接する円の直径を前記固定用凸部に外接する円の直径よりも小さく形成し、前記外筒を前記スプリングシートに挿入したときに前記固定用凸部が前記固定用凹部に圧入固定されることを特徴とするシリンダ装置である。
【００１２】
請求項６に記載の発明は、請求項１から５のいずれかに記載のシリンダ装置であって、前記位置決め凸部の挿入方向先端部の幅が該位置決め凸部の最大幅より小さいことを特徴とするシリンダ装置である。
【発明の効果】
【００１３】
請求項１に記載の発明によれば、スプリングシート固定部が、少なくとも１つの径方向外側に突出する位置決め凸部を有し、前記係合部が、前記位置決め凸部の周方向両側の面に係合して前記スプリングシートの周方向両側への移動を規制する位置決め凹部を有し、前記位置決め凸部及び前記位置決め凹部が、前記スプリングシートと前記外筒とが１つの周方向位置のみにおいて嵌合するように、前記スプリングシート固定部と前記係合部とにそれぞれ設けられているため、外筒に対しスプリングシートを取り付ける際、取り付け可能な周方向の位置が１つしかないため、誤った方向に挿入することを防ぐことができる。
【００１４】
請求項２に記載の発明によれば、スプリングシート固定部が、少なくとも１つの径方向外側に突出する位置決め凸部を有し、係合部が、位置決め凸部の周方向両側の面に係合してスプリングシートの周方向両側への移動を規制する位置決め凹部を有し、位置決め凸部が、位置決め凸部の位置におけるスプリングシート固定部の径方向断面の外周部が１回回転対称性を持つように、スプリングシート固定部に設けられているため、外筒に対しスプリングシートを取り付ける際、取り付け可能な周方向の位置が１つしかないため、誤った方向に挿入することを防ぐことができる。
【００１５】
請求項３に記載の発明によれば、スプリングシート固定部が、外筒より径方向外側に突出してスプリングシートと軸方向に当接する少なくとも１つの固定用凸部を有するので、より強い力を受ける軸方向についての強度を高めることができる。
【００１６】
請求項４に記載の発明によれば、挿入時に位置決め凸部と係合部との周方向位置が異なる場合に、この位置決め凸部が固定用凸部より先にスプリングシートのいずれかの箇所に当接するので、その状態では、スプリングシートが不安定であり取り付け周方向位置が違うことを作業者が容易に認識できる。
【００１７】
請求項５に記載の発明によれば、係合部が、固定用凸部に係合する少なくとも１つの固定用凹部を有し、この固定用凹部に内接する円の直径を固定用凸部に外接する円の直径よりも小さく形成し、外筒をスプリングシートに挿入したときに固定用凸部が固定用凹部に圧入固定されるので、取り付けた状態でスプリングシートの動きが規制され、より安定する。
【００１８】
請求項６に記載の発明によれば、位置決め凸部の挿入方向先端部の幅がこの位置決め凸部の最大幅より小さいので、位置決め凹部をスプリングシートに挿入する際に位置決めが簡単である。
【発明を実施するための最良の形態】
【００１９】
以下、本発明の実施の形態を図面に基づいて説明する。
【００２０】
図１は、本発明の第１の実施形態におけるショックアブソーバの断面図である。上端部が開口したシリンダ１には、ピストン４がシリンダ１と摺動可能に挿入され、シリンダ１内をピストン上室２とピストン下室３とに分けている。ピストン４には、ピストンロッド５（本発明におけるロッドに相当）の一方の端部が固定されており、ピストンロッド５の他方の端部はシリンダ１の軸方向外部に延出している。ピストン上室２およびピストン下室３には油液が満たされており、ピストン４には、シリンダ１とピストンロッド５との相対運動に応じて、油液が通過するピストン油液通路６が設けられている。ピストン油液通路６の両端には、油液の流れを制限して減衰力を発生するように環状のピストンバルブ６Ａが設けられている。
【００２１】
シリンダ１の外周部には、下端部が閉塞された円筒状のアウタシェル７（本発明における外筒に相当）がシリンダ１と同軸上に設けられている。アウタシェル７とシリンダ１とは、下端部に設けられたボディ部１７を介して固定されている。ボディ部１７には、ピストン下室３とリザーバ室８とを連通する油通路１５、ボディバルブ１６などが設けられている。アウタシェル７内部とシリンダ１の外周部により形成されるリザーバ室８は、油通路１５を介してピストン下室３と連通しており、部分的に油液で満たされている。そして、残りの部分には気体が封入されている。この気体は、シリンダ１へのピストンロッド５の侵入及び退出に伴うシリンダ１内のピストンロッド５体積の変化分を補償するものである。すなわち、ピストンロッド５がシリンダ１内に侵入したときは気体が侵入体積の分だけ圧縮され、ピストンロッド５が退出したときは膨張することでシリンダ１内部の体積を一定に保っている。
【００２２】
ピストンロッド５は、ロッドガイド９の内周側に設けられたブシュ１０によって径方向の移動が拘束され、軸方向の移動のみ許容される。ブシュ１０は、ピストンロッド５と摺動する内周面がフッ化樹脂などでコーティングされた金属の筒またはフッ化樹脂成型品などであり、ピストンロッド５との摺動性に優れるものである。ロッドガイド９は小径部９Ａと大径部９Ｂとからなり、小径部９Ａがシリンダ１に挿入されることによってシリンダ１を固定している。大径部９Ｂは、アウタシェル７に挿入されることによりロッドガイド９とアウタシェル７との径方向の相対移動を規制している。また、アウタシェル７の上端部を径方向内側に向かってかしめを行うことによりロッドガイド９とアウタシェル７との軸方向の相対移動を規制している。
【００２３】
アウタシェル７の上端部には、これを覆うようにキャップ１１が圧入されている。キャップ１１は、オイルシール１２を保護するためのものである。
【００２４】
ロッドガイド９とキャップ１１の間には、シリンダ１内の油液が外部へ漏れることを防ぐためのオイルシール１２、外部からのダストなどがシリンダ１内に侵入することを防ぐためのダストリップ１３が配置され、ピストンロッド５がそれらを貫通するように設けられている。
【００２５】
アウタシェル７は、その外周に径方向外側に突出する１つの位置決め凸部２０と５つの固定用凸部２２を有している。位置決め凸部２０及び固定用凸部２２には位置決め凹部２４及び固定用凹部２６を有するスプリングシート２８が圧入されている。位置決め凸部２０には位置決め凹部２４が、固定用凸部２２には固定用凹部２６がそれぞれ係合している。これらの位置決め凸部２０及び固定用凸部２２は、本発明におけるスプリングシート固定部２１を構成し、位置決め凹部２４及び固定用凹部２６は、本発明における係合部２５を構成する。位置決め凸部２０及び固定用凸部２２は、アウタシェル７の一部をバルジ成形などの方法により径方向外側に突出させることで形成され、位置決め凹部２４及び固定用凹部２６は、スプリングシートの一部をバルジ成形などの方法により径方向外側に突出させることで形成されている。
【００２６】
図２に、本実施形態のスプリングシート２８とアウタシェル７の部分断面図を示す。図中、左側がスプリングシート２８であり、組み立て時には、右側にあるアウタシェル７を矢印３０の方向に移動してスプリングシート２８に挿入する。
【００２７】
図３は、図２に示されるスプリングシート２８のＸ−Ｘ平面を矢印の方向に見た断面図であり、図４は、図２に示されるアウタシェル７のＹ−Ｙ平面を矢印の方向に見た断面図である。図２から図４に示されるように、アウタシェル７の位置決め凸部２０と固定用凸部２２はそれぞれ周方向に等間隔に配置されている。これらは等間隔である必要はないが、等間隔であれば受ける力が分散される。
【００２８】
位置決め凸部２０は、固定用凸部２２と比較して径方向外側に突出している。すなわち、径方向の高さが固定用凸部２２の高さより大きい。一方、スプリングシート２８の位置決め凹部２４は、位置決め凸部２０がちょうど収まるような形状である。すなわち、位置決め凹部２４の係合位置における周方向の幅は、位置決め凸部２０の係合位置における周方向の幅とほぼ等しい（実際には挿入を容易にするため若干の隙間を設けてある）。位置決め凹部２４には右回転規制部２７および左回転規制部２９が設けられている。スプリングシート２８をアウタシェル７に係合させた場合、位置決め凸部２０の右側面が右回転規制部２７に当接するため、アウタシェル７はスプリングシート２８に対して周方向右回転が規制される。同様に、位置決め凸部２０の左側面が左回転規制部２９に当接するため、アウタシェル７はスプリングシート２８に対する左回転が規制される。上述のように、位置決め凹部２４と位置決め凸部２０の間には、わずかな隙間しかないためアウタシェル７に対するスプリングシート２８の周方向への移動（回転）が規制される。
【００２９】
固定用凹部２６は、その径方向断面が、位置決め凹部２４の設けられた箇所を除いてほぼ円形で、５つの固定用凸部２２が圧入固定される形状となっている。すなわち、固定用凹部２６の内径は、５つの固定用凸部２２の頂点に外接する円の直径より締め代の分だけ小さく形成されている。ここで、締め代の大きさを調整することで圧入によるスプリングシートの保持力（軸方向及び周方向）を任意に設定できる。なお、本実施形態では、固定用凸部２６がほぼ円形であるが、固定用凸部を収容できる形状であれば円形でなくてもよい。例えば、２つの固定用凸部の間の部分（突出していない部分）に正対する固定用凹部の一部分が径方向内側に突出させ、外筒に接するように形成してもよい。このように構成することでスプリングシート固定部と係合部の接触面積が増加し、スプリングシートの安定性が増す。
【００３０】
以上のような構成とすることで、スプリングシート２８にアウタシェル７を挿入する際、スプリングシート２８に対するアウタシェル７の周方向の位置は、位置決め凸部２０が位置決め凹部２４に係合可能となるただ１つの位置に限定される。したがって、目視による位置合わせを行う必要がなく、組み立てが簡単であり、誤挿入を防止できる。
【００３１】
このように周方向の挿入位置がただ１つに定まるのは、アウタシェル７に設けられた位置決め凸部２０の周方向の配置（すなわち位置決め凸部２０におけるアウタシェル７の径方向断面の外周部）が１回回転対称性を持っているためである。ここで、回転対称性について説明する。ある図形を１点に対して回転させた場合に元の図形と同じになるとき、その図形は回転対称性を持つと言う。そして、図形を３６０度回転させる間に元の図形とｎ回重なるとき、その図形はｎ回回転対称性（ｎは自然数）を持つと言う。例えば、正三角形は３回回転対称性を持ち、正五角形は５回回転対称性を持つ。また、円は無限の回転対称性を持つ。そして、回転させたときにどの角度においても元の図形と重ならない図形は、１回回転対称性を有する。つまり、アウタシェル７の位置決め凸部２０における径方向断面の外周部が１回回転対称性を持つということは、スプリングシート２８の周方向の挿入位置がただ一つしか存在しないということである。なお、アウタシェルがｎ回回転対称性（ｎは２以上の自然数）を持つとき、このアウタシェルの１箇所を変形させることで間単に１回回転対称性を持たせることができ、本発明のアウタシェルとして用いることができる。
【００３２】
本実施形態においては、１つの位置決め凸部２０が１つの位置決め凹部２４に係合するようにアウタシェル７がスプリングシート２８に挿入される。このような構成とすることで、スプリングシートの圧入時に、周方向の位置を誤って挿入することがなくなり、組み立て時の作業効率が向上する。また、位置決め凸部２０外側の周方向の幅と位置決め凹部２４内側の周方向の幅とほぼ等しく構成されているため、アウタシェル７の周方向の保持力が高い。
【００３３】
次に、本発明の第２の実施形態を説明する。図５は、本実施形態のスプリングシート１２８の位置決め凹部２４における径方向断面図であり、図６は、アウタシェル１０７の位置決め凸部２０における径方向断面図である。本実施形態が第１の実施形態と異なる点は、位置決め凹部２４及び位置決め凸部２０の数が２つずつあるという点である。また、図５及び図６に示されるように、位置決め凹部２４及び位置決め凸部２０はそれぞれ１回回転対称性を有するように配置されている。このため、スプリングシート１２８にアウタシェル１０７を挿入する際、スプリングシート１２８に対するアウタシェル１０７の周方向の位置は、２つの位置決め凸部２０が２つの位置決め凹部２４にそれぞれ係合可能となるただ１つの位置に限定される。したがって、目視による位置合わせを行う必要がなく、組み立てが簡単である。また、本実施形態では、位置決め凹部及び位置決め凸部が複数あるため、第１の実施形態と比較して、アウタシェル１０７の周方向の保持力が高くなっている。
【００３４】
本実施形態では、２つの位置決め凸部２０が同じ形状となっているため、一方の位置決め凸部２０は、他方の位置決め凸部２０に対して、外筒１０７の軸心を中心に１８０度回転した位置を除いた位置に設ける必要がある（１８０度回転した位置に設けると、断面が２回回転対称性を有することとなるため）。なお、２つの位置決め凸部が異なった形状を有する場合は、１８０度回転した位置を含めて、外筒の外周上の任意の場所に設けることができる。
【００３５】
次に、本発明の第３の実施形態を説明する。図７は、本実施形態のアウタシェル２０７の部分正面図であり、図８は、図７のアウタシェル２０７の位置決め凸部２２０における径方向断面図（Ｙ−Ｙ平面を矢印の方向に見た断面図）である。本実施形態が第１の実施形態と異なる点は、位置決め凸部２２０の挿入側先端部の幅（周方向長さ）を、この位置決め凸部２２０の最大幅より小さくしたこと及び位置決め凸部２２０の挿入方向先端部の位置を固定用凸部２２の挿入側先端部よりも前方に設けたことである。このように、位置決め凸部２２０の挿入方向先端部の幅（周方向長さ）を、この位置決め凸部２２０の最大幅より小さくすることで、アウタシェル２０７をスプリングシート（図示せず）に挿入する際、位置決めが簡単で誤挿入を防ぐことができる。また、位置決め凸部２２０の挿入方向先端部の位置を固定用凸部２２の挿入側先端部よりも前方に設けることで、すなわち、アウタシェル２０７をスプリングシート（図示せず）に挿入するときに位置決め凸部２２０とスプリングシートの係合部（図示せず）との周方向位置が異なる場合に、位置決め凸部２２０が固定用凸部２０より先にスプリングシートのいずれかの箇所に当接するので、位置決めが簡単で誤挿入を防ぐことができる。なお、本実施形態においては、位置決め凸部２２０を固定用凸部２２よりも挿入方向前方に設けているが、スプリングシートの係合部において位置決め凹部を固定用凹部よりも挿入方向前方に設けてもよい。
【００３６】
次に、本発明の第４の実施形態を説明する。図９は、本実施形態のスプリングシート３２８の位置決め凹部３２４における径方向断面図であり、図１０は、アウタシェル３０７の位置決め凸部２０における径方向断面図である。本実施形態が第１の実施形態と異なる点は、１つの位置決め凹部３２４が２つの位置決め凸部２０に係合しているという点である。この場合、位置決め凹部３２４は、一方の位置決め凸部２０の周方向右側の面と他方の位置決め凸部２０の周方向左側の面、すなわち、２つの位置決め凸部２０の両側の面に係合してスプリングシート３２８の周方向両側（左右回転方向）への移動を規制している。このように構成すると、スプリングシートの形成が簡単になり、製造コストを低減できる。本実施形態では、位置決め凹部３２４の周方向長さが円周の半分以下であるが、円周の半分以上の周方向長さを有する位置決め凹部を形成してもよい。本実施形態の位置決め凸部２０に対応する、円周の半分以上の周方向長さを有する位置決め凹部を形成した場合、この位置決め凹部は、右側の位置決め凸部２０の周方向左側の面と左側の位置決め凸部２０の周方向右側の面と係合することになる。
【００３７】
なお、上記の実施形態では、いわゆるツインチューブ式のショックアブソーバを対象としたが、本発明の対象はこれに限るものではなく、モノチューブ式ショックアブソーバや倒立式ショックアブソーバ、さらにはその他のシリンダ装置にも適用することができる。この場合、本発明の外筒は、それぞれのシリンダ装置においてスプリングシートが固定される円筒状の部材を指し、また、ロッドは、外筒から突出して外筒に対して軸方向に相対移動する棒状（または筒状）部材を指す。
【００３８】
また、上記の実施形態では、位置決め凹部をスプリングシートの一部を径方向外側に突出させることで形成したが、位置決め凹部としてはアウタシェルとスプリングシートの相対的な回転を規制する機能を有していればよく、例えば、右回転規制部と左回転規制部を有する貫通孔（開口部）であってもよい。
【００３９】
また、上記の実施形態では、スプリングシートは、中央に外筒を挿入する穴を設けた一体成形品であるが、分割式の成形品であってもよい。この場合、位置決め凸部に対して周方向のみならず軸方向にも当接するように位置決め凹部をスプリングシートに形成することが可能であり、この場合、軸方向の保持力が高くなる。
【００４０】
また、上記の実施形態では、固定用凸部を設けた外筒を示したが、固定用凸部が設けられていない外筒を用いてもよい。この場合、スプリングシートを少なくとも軸方向に固定する機能を有する部材が必要となるが、位置決め凸部にこの機能を持たせてもよい。あるいは、接着剤を用いることもできる。
【００４１】
また、上記の実施形態では、外筒の一部を径方向外側に突出させることで位置決め凸部を形成しているが、位置決め凸部を設ける方法はこれに限らない。例えば、ピン形状の部材を、接着・溶接などの方法で外筒の外周部に固定してもよい。同様に、位置決め凹部についても切削などの方法で設けてもよい。
【００４２】
また、上記の実施形態では、固定用凸部が設けられているが、これらは何らかの基準で位置決め凸部と区別可能であることが分かる。例えば、すべての実施形態では、高さ（軸から最外部までの距離）、すなわち断面形状が異なっており、第３の実施形態では、軸方向の位置が異なっている。第３の実施形態では、軸方向の位置が異なっているので、位置決め凸部２２０と固定用凸部の断面形状が同じであっても構わない。
【図面の簡単な説明】
【００４３】
【図１】本発明の第１の実施形態におけるショックアブソーバの断面図
【図２】本発明の第１の実施形態におけるスプリングシートとアウタシェルの部分断面図
【図３】図２のスプリングシートのＸ−Ｘ平面における断面図
【図４】図２のアウタシェルのＹ−Ｙ平面における断面図
【図５】本発明の第２の実施形態におけるスプリングシートの位置決め凹部における径方向断面図
【図６】本発明の第２の実施形態におけるアウタシェルの位置決め凸部における径方向断面図
【図７】本発明の第３の実施形態におけるアウタシェルの部分正面図
【図８】図７のアウタシェルの位置決め凸部における径方向断面図
【図９】本発明の第４の実施形態におけるスプリングシートの位置決め凹部３２４における径方向断面図
【図１０】本発明の第４の実施形態におけるアウタシェルの位置決め凸部における径方向断面図
【符号の説明】
【００４４】
５            ピストンロッド（ロッド）
７            アウタシェル（外筒）
２０            位置決め凸部
２１            スプリングシート固定部
２２            固定用凸部
２４            位置決め凹部
２５            係合部
２６            固定用凹部
２８            スプリングシート
１０７            アウタシェル（外筒）
１２８            スプリングシート
２０７            アウタシェル（外筒）
２２０            位置決め凸部
３０７            アウタシェル
３２０            位置決め凸部
３２４            位置決め凹部
３２８            スプリングシート
【図１】
2007154977.tif 000003
【図２】
2007154977.tif 000004
【図３】
2007154977.tif 000005
【図４】
2007154977.tif 000006
【図５】
2007154977.tif 000007
【図６】
2007154977.tif 000008
【図７】
2007154977.tif 000009
【図８】
2007154977.tif 000010
【図９】
2007154977.tif 000011
【図１０】
2007154977.tif 000012